(57)【特許請求の範囲】
【請求項１】
情報ユーザーのパソコン側の電子カタログに掲載されているカタログ情報を更新する電子カタログ更新システムにおいて、サーバー側からインターネットを介してデータ配信元が提供するカタログ掲載用の更新情報を、情報ユーザーのパソコン側に取り込む際に、前記情報ユーザーのパソコン側からサーバー側に該インターネットを介してアクセスし、サーバー側の情報更新履歴ファイルとパソコン側の情報更新履歴ファイルとの更新履歴の同異を、情報ユーザーのパソコン側のファイル比較照合手段により判定し、異なる更新履歴があると確認された場合は、サーバー側の異なる更新履歴のうち、直近のカタログ掲載用の更新情報を、インターネットを介してパソコン側のメモリに取り込み、そのメモリに対しカタログ更新用プログラムを用いてアクセスしながら、新規の電子情報記録用媒体にその更新情報を記録することにより、情報ユーザーのパソコン側の電子カタログを、最新情報が掲載された電子カタログに更新することを特徴とする電子カタログ更新システム。
【請求項２】
前記サーバー側からパソコン側にインターネットを介して送信されるカタログ掲載用の更新情報は、データ圧縮された圧縮データファイルであり、該圧縮データファイルを圧縮データ解凍用プログラムソフトにより解凍してパソコン側に取り込むようにした請求項１記載の電子カタログ更新システム。
【請求項３】
情報ユーザーのパソコンの電子カタログに掲載されているカタログ情報を更新する電子カタログ更新システムにおいて、データ配信元が提供するカタログ掲載用の更新情報が記録された電子情報記録媒体を介して、情報ユーザーのパソコン側に前記更新情報を取り込む際に、その電子情報記録媒体に記録されている更新情報を一旦パソコン側のメモリに取り込んだ後、その電子記録媒体上の更新情報がパソコン側の情報更新履歴ファイルに存在しないことを、情報ユーザーのパソコン上のファイル比較照合手段により判定し、存在しないと確認された場合は、そのメモリに対しカタログ更新用プログラムを用いてアクセスし、新規の電子情報記録用媒体にその更新情報を記録することにより、最新情報が掲載された電子カタログに更新することを特徴とする電子カタログ更新システム。
【請求項４】
前記電子情報記録媒体に記録されているカタログ掲載用の更新情報は、データ圧縮された圧縮データファイルであり、該圧縮データファイルを圧縮データ解凍用プログラムソフトにより解凍してパソコン側に取り込むようにした請求項３記載の電子カタログ更新システム。
【請求項５】
前記新規の電子情報記録用媒体は、追記不可な再生専用の媒体である請求項１乃至請求項４のいずれか１項記載の電子カタログ作製更新システム。
【発明の詳細な説明】
【０００１】
【発明の属する技術分野】
本発明は、データ配信元が提供するカタログ掲載用の情報を、サーバー側からインターネットを介して又はデータ配信元が提供する電子記録媒体を介して、情報ユーザーのパソコン側に取り込み、そのパソコンにて電子カタログを更新作製する電子カタログ更新システムに関する。
【０００２】
【従来の技術】
従来の商品情報の配信には、紙媒体を中心とするカタログがあり、このカタログ上での商品の検索方法としては、目次や索引からのページの抽出しかできなかった。さらに、データがアナログであるために、情報の再利用が非常に困難であった。
【０００３】
これらの問題点を解決するために、近年は、デジタルデータによる配信が開始されるようになったが、その配信（配布）方法としては、フレキシブルディスクなど磁気記録媒体や、光ディスク、光磁気ディスクなど光記録媒体によるもの、インターネットによるものなどがある。
【０００４】
記録媒体による場合において、配信（配布）元が情報の修正、追加をしたい場合には、別媒体で「データの追加」という形でユーザーに再配布する必要があった。
【０００５】
追加情報がたとえ少量であっても、ユーザーの数だけ記録媒体を用意する必要があるため、コストが掛かる上に、始めに配布したものとはあくまでも別媒体であるため、ユーザーは、常に旧情報と新情報とを意識して情報を検索しなくてはならず、作業手順が煩雑となったり、余計に労力が掛かったりしがちであった。
【０００６】
他方、インターネットによる場合においては、常にユーザーに最新情報を提供できる反面、アクセスに時間が掛かり、特に複数の商品情報を得たい場合などにおける大容量のデータへのアクセスやダウンロードはきわめて困難になる。
【０００７】
また、はじめに磁気記録媒体など電子情報記録媒体で情報を配布しておき、修正、追加の情報はインターネットで配信という手法が採られることもあり、これは再配布に掛かるコストの問題は解決できるものの、依然としてユーザーは、もとから記録媒体で提供されている情報なのか、それとも新しく発信される情報なのかを常に意識して情報を検索しなくてはならないし、インターネット上の情報が欲しい場合は、その都度アクセスに掛かる時間を我慢しなければならないといった不都合があった。
【０００８】
【発明が解決しようとする課題】
ところで、電子カタログを作製する際にカタログデータを収録する電子情報記録媒体としては、フレキシブルディスクなどの磁気記録媒体や、光ディスク（再生専用形、追記形、書換形）などの記録媒体が使用される。
【０００９】
光ディスクのうち、再生専用形の追記不可な電子記録媒体を用いた電子カタログは、コストの面でもユーザー（電子カタログ制作者）を特定できる点でも、配布が手頃であり、また高速にアクセスできる点でも使い易く有利であるが、カタログの掲載情報を、その電子情報記録媒体上で更新（変更、追加など）できない点においては不便であった。
【００１０】
そこで本発明は、カタログ掲載用の更新すべき最新情報としての更新情報を、インターネットで配信することにより、あるいは電子記録媒体に記録して配布することにより、多数のユーザーが常にその更新すべき最新情報を取り出すことができるようにすることにある。
【００１１】
【課題を解決するための手段】
本発明の請求項１に係る発明は、情報ユーザーのパソコン側の電子カタログに掲載されているカタログ情報を更新する電子カタログ更新システムにおいて、サーバー側からインターネットを介してデータ配信元が提供するカタログ掲載用の更新情報を、情報ユーザーのパソコン側に取り込む際に、前記情報ユーザーのパソコン側からサーバー側に該インターネットを介してアクセスし、サーバー側の情報更新履歴ファイルとパソコン側の情報更新履歴ファイルとの更新履歴の同異を、情報ユーザーのパソコン側のファイル比較照合手段により判定し、異なる更新履歴があると確認された場合は、サーバー側の異なる更新履歴のうち、直近のカタログ掲載用の更新情報を、インターネットを介してパソコン側のメモリに取り込み、そのメモリに対しカタログ更新用プログラムを用いてアクセスしながら、新規の電子情報記録用媒体にその更新情報を記録することにより、情報ユーザーのパソコン側の電子カタログを、最新情報が掲載された電子カタログに更新することを特徴とする電子カタログ更新システムである。
【００１２】
次に本発明の請求項２に係る発明は、上記請求項１に係る発明の電子カタログ更新システムにおいて、前記サーバー側からパソコン側にインターネットを介して送信されるカタログ掲載用の更新情報は、データ圧縮された圧縮データファイルであり、該圧縮データファイルを圧縮データ解凍用プログラムソフトにより解凍してパソコン側に取り込むようにした電子カタログ更新システムである。
【００１３】
次に本発明の請求項３に係る発明は、情報ユーザーのパソコンの電子カタログに掲載されているカタログ情報を更新する電子カタログ更新システムにおいて、データ配信元が提供するカタログ掲載用の更新情報が記録された電子情報記録媒体を介して、情報ユーザーのパソコン側に前記更新情報を取り込む際に、その電子情報記録媒体に記録されている更新情報を一旦パソコン側のメモリに取り込んだ後、その電子記録媒体上の更新情報がパソコン側の情報更新履歴ファイルに存在しないことを、情報ユーザーのパソコン上のファイル比較照合手段により判定し、存在しないと確認された場合は、そのメモリに対しカタログ更新用プログラムを用いてアクセスし、新規の電子情報記録用媒体にその更新情報を記録することにより、最新情報が掲載された電子カタログに更新することを特徴とする電子カタログ更新システムである。
【００１４】
次に本発明の請求項４に係る発明は、上記請求項３に係る発明の電子カタログ更新システムにおいて、前記電子情報記録媒体に記録されているカタログ掲載用の更新情報は、データ圧縮された圧縮データファイルであり、該圧縮データファイルを圧縮データ解凍用プログラムソフトにより解凍してパソコン側に取り込むようにした電子カタログ更新システムである。
【００１５】
次に本発明の請求項５に係る発明は、上記請求項３乃至請求項４のいずれか１項に係る電子カタログ更新システムにおいて、前記新規の電子情報記録用媒体は、追記不可な再生専用の媒体である電子カタログ作製更新システムである。
【００１６】
【発明の実施の形態】
本発明の請求項１に係る発明の実施の形態を、図１（ａ）〜（ｂ）に示すブロック図に基づいて以下に詳細に説明する。
【００１７】
図１（ａ）は、システム全体を示すブロック図であり、図中、１はデータ配信元、２はデータ配信元のサーバー、３はサーバー２に搭載するデータ配信元の情報更新履歴ファイル、４はユーザー側のパソコン（データ処理用端末機など）、５はパソコン４に搭載するユーザー側の情報更新履歴ファイル、Ａはサーバー２とパソコン４との間、又はデータ配信元１とサーバー２とパソコン４との間を結ぶ交信接続用のインターネットである。
【００１８】
本発明は、カタログ閲覧用プログラムソフトを用いパソコンにて作製された電子カタログに掲載されているカタログ情報を更新する電子カタログ更新システムであって、データ配信元１が提供するカタログ掲載用の更新情報は、更新毎に一旦サーバー２（情報格納メモリ部）に送信格納され、その情報更新の履歴は、その更新の都度、情報更新ファイル３に記録される。
【００１９】
図１（ｂ）は、パソコン４側のデータ処理システムを説明するブロック図であり、図中、７はパソコン４のキーボード、マウス等のデータ入力部、８はデータ処理制御部、９はメモリ、１０は比較照合手段、１１はディスクドライブ、１２は出力表示部（液晶方式又はＣＲＴ方式によるディスプレイ画面、プリンターなど）、１３は電子カタログ閲覧更新用のプログラムソフトを格納する格納部（ハードディスクなど）である。
【００２０】
図１（ａ）において、サーバー２に格納された更新情報は、インターネットＡを介して情報ユーザー側のパソコン４に取り込まれるが、その際には、図１（ｂ）に示すように、サーバー２側の情報更新履歴ファイル３とパソコン４側の情報更新履歴ファイル５（例えばメモリ９内に格納されている）にそれぞれ記録されている更新履歴ファイルデータ３ａ、５ａの両者が、インターネットを介してファイル比較照合手段１０に出力されて、比較照合手段１０は、データ処理制御部８の制御により両者を比較照合して、その同異が判定されるようになっている。
【００２１】
そして、両者に異なる更新履歴があると確認された場合には、比較照合手段１０は、サーバー２側の情報更新履歴ファイル３中の異なる更新履歴のうち、直近に更新されたカタログ掲載用の更新情報を探し出し、インターネットを介してパソコン４側のメモリ９に取り込む。
【００２２】
前記サーバー２側からパソコン４側にインターネットＡを介して送信されるカタログ掲載用の更新情報は、データ圧縮されていない通常のデータファイルでよいが、本発明の請求項２に係る発明のように、例えばデータ圧縮された圧縮データファイルであってもよく、その場合は該圧縮データファイルをパソコン４に搭載する圧縮データ解凍用プログラムソフトにより解凍して、通常のコンベンショナルデータに戻してパソコン側に取り込むようにする。
【００２３】
その後、データ処理制御部８の制御により、そのメモリ９に対し、カタログ更新用プログラムソフト１３を用いてアクセスしながら、新規の電子情報記録用媒体（又はフレキシブルディスクなどの磁気記録媒体や光ディスク（再生専用形、追記形、書換形）などの記録媒体）にその更新情報を記録することにより、最新情報が掲載された更新された電子カタログが作製される。
【００２４】
上記請求項１に係る発明の実施の形態におけるシステム操作を、図２に示すシステム操作フローチャート図に基づいて以下に順を追って説明する。
Ｓ１；まず、ユーザー側のパソコン４を起動させる。
Ｓ２；続いて、電子カタログを記録した電子記録媒体を、パソコン４のディスクドライブ１１に挿入する。
Ｓ３；続いて、パソコン４上で電子カタログ閲覧更新ソフト１３にて電子カタログを起動させる。
Ｓ４；次に、パソコン４上にインターネットＡを起動させ、サーバー２に接続する。
Ｓ５；次に、インターネットＡを介して、パソコン４側からサーバー２側に電子カタログに掲載する更新情報（最新情報）の有無を問い合わせする。
Ｓ６；サーバー２上の更新履歴ファイル３の履歴データをパソコン４側のメモリ９に取得する。
Ｓ７；サーバー２上とパソコン４上の更新履歴ファイル３、５（情報更新ファイル）中のそれぞれ履歴データ３ａ、５ａを、パソコン４の比較照合手段１０に出力して、その同異を比較照合し、サーバー２側の履歴データファイル３内に存在する履歴データ３ａの中から、パソコン４側の更新履歴ファイル５には存在しない最も直近のサーバー２側の履歴データ３ａを、例えば更新履歴ファイル名とシリアル番号を特定して抽出する。
Ｓ８；比較照合の結果、両履歴データ３ａ、５ａが異なると判定された場合はＹＥＳとして、パソコン４側に取り込まれていない更新履歴がサーバー２側にあるものとして、サーバー２側の最も直近の履歴データ３ａである更新情報を最新情報としてパソコン４側のメモリ９に取得する。他方、両履歴データ３ａ、５ａが同一と判定された場合はＮＯとして、電子カタログは更新されない。
Ｓ９；サーバー２上の更新情報がパソコン４側のメモリ９に取得された後は、電子カタログ閲覧更新プログラムソフト１３（閲覧機能用ソフトと更新機能用ソフト）が上記メモリ９に対してアクセスして、上記更新情報は更新プログラムソフト１３に基づく電子カタログフォーマットに従ってメモリ９内より取り出され、画面上にレイアウト配置されて、更新情報の掲載された最新の電子カタログが作製される。
【００２５】
次に、本発明の請求項３に係る発明の実施の形態を、図３に示すブロック図に基づいて以下に詳細に説明する。
【００２６】
図３は、システム全体を示すブロック図であり、図中、４はユーザー側のパソコン（データ処理用端末機など）、７はパソコン４のキーボード、マウス等のデータ入力部、８はデータ処理制御部、９はメモリ（必要応じて情報更新履歴ファイルを格納）、１１はディスクドライブ、１２は出力表示部（液晶方式又はＣＲＴ方式によるディスプレイ画面、プリンターなど）、１３は電子カタログ閲覧更新用のプログラムソフトを格納する格納部（ハードディスクなど）である。
【００２７】
本発明は、カタログ閲覧用プログラムソフトを用いパソコンにて作製された電子カタログに掲載されているカタログ情報を更新する電子カタログ更新システムであって、カタログ掲載用の更新情報が記録された電子情報記録媒体（例えば、ＣＤ−ＲＯＭ、フレキシブルディスクなど）は、データ配信元が配布提供する。
【００２８】
図３において、データ配信元が配布提供したカタログ掲載用の更新情報が記録された電子情報記録媒体は、情報ユーザー側のパソコン４のディスクドライブ１１に挿入して、パソコン４のメモリ９に、その更新情報を一旦取り込む。
【００２９】
その後、データ処理制御部８の制御により、そのメモリ９に対し、カタログ更新用プログラムソフト１３を用いてアクセスしながら、その更新情報をメモリ９内より取り出して、新規の電子情報記録用媒体（又はフレキシブルディスクなどの磁気記録媒体や光ディスク（再生専用形、追記形、書換形）などの記録媒体）にその更新情報を記録することにより最新情報が掲載された更新された電子カタログが作製される。
【００３０】
次に、本発明の請求項４に係る発明の実施の形態を、図３に示すブロック図に基づいて以下に詳細に説明する。
【００３１】
本発明は、カタログ閲覧用プログラムソフトを用いパソコンにて作製された電子カタログに掲載されているカタログ情報を更新する電子カタログ更新システムであって、カタログ掲載用の更新情報が記録された電子情報記録媒体（例えば、ＣＤ−ＲＯＭ、フレキシブルディスクなど）は、データ配信元が配布提供する。
【００３２】
図３において、データ配信元が配布提供したカタログ掲載用の更新情報が記録された電子情報記録媒体は、情報ユーザー側のパソコン４のディスクドライブ１１に挿入して、パソコン４のメモリ９に、その更新情報の識別記号（例えばファイル名とそのシリアル番号）、及びその更新情報を一旦取り込む。
【００３３】
そして、その電子記録媒体上の更新情報の識別記号が、パソコン４側の情報更新履歴ファイル（例えばメモリ９内のファイル）内に存在しないことを、パソコン４のデータ処理制御部８の制御により、該パソコン４に搭載（又は接続）するファイル比較照合手段（図示せず）により判定し、存在しないと確認された場合は、データ処理制御部８の制御により、そのメモリ９に対し、カタログ更新用プログラムソフト１３を用いてアクセスしながら、その更新情報を取り出して、新規の電子情報記録用媒体にその更新情報を記録することにより、最新情報が掲載された更新された電子カタログが作製される。
【００３４】
前記データ配信元が配布提供した電子情報記録媒体のカタログ掲載用の更新情報は、データ圧縮されていない通常のデータファイルでよいが、本発明の請求項５に係る発明のように、例えばデータ圧縮された圧縮データファイルであってもよく、その場合は該圧縮データファイルをパソコン４に搭載する圧縮データ解凍用プログラムソフトにより解凍して、通常のコンベンショナルデータに戻してパソコン側に取り込むようにする。
【００３５】
上記請求項３又は請求項４に係る発明の実施の形態におけるシステム操作を、図４に示すシステム操作フローチャート図に基づいて、以下に順を追って説明する。
【００３６】
Ｓ１；まず、ユーザー側のパソコン４を起動させる。
Ｓ２；続いて、電子カタログを記録した電子記録媒体をパソコンのディスクドライブ１１に挿入する。
Ｓ３；続いて、パソコン４上で電子カタログ閲覧更新ソフト１３にて電子カタログを起動させる。
Ｓ４；次に、データ配信元の更新情報を記録した電子記録媒体をディスクドライブ１１に挿入する。
Ｓ５；次に、電子カタログ閲覧更新ソフト１３が更新情報を記録した電子記録媒体にアクセスされる。
Ｓ６；電子記録媒体の更新情報をパソコン４側のメモリ９に取得する。
Ｓ７；電子カタログ閲覧更新プログラムソフト１３（閲覧機能用ソフトと更新機能用ソフト）が、上記メモリ９に対してアクセスして、上記更新情報は、更新プログラムソフト１３に基づく電子カタログフォーマットに従ってメモリ９内より取り出され、画面上にレイアウト配置されて、更新情報の掲載された最新の電子カタログが作製される。
Ｓ８；他方、電子記録媒体の更新情報の識別記号（ファイル名とシリアル番号）をパソコン４側のメモリ９に取得する。
Ｓ９；取得した電子記録媒体の更新情報の識別記号が、パソコン４上の更新履歴ファイル内に存在しているか否かを比較照合し、比較照合の結果、存在しないと判定された場合はＹＥＳとしてＳ７に進み、その更新情報はパソコン４側に取り込まれていないものとして、電子カタログ閲覧更新プログラムソフト１３（閲覧機能用ソフトと更新機能用ソフト）が、上記メモリ９に対してアクセスして、上記更新情報は、更新プログラムソフト１３に基づく電子カタログフォーマットに従ってメモリ９内より取り出され、画面上にレイアウト配置されて、更新情報の掲載された最新の電子カタログが作製される。他方、存在すると判定された場合はＮＯとして、電子カタログは更新されない。
【００３７】
図５は、情報更新履歴ファイルのデータテーブルの一例を示すもので、（ａ）はデータ配信元（又はサーバー２）側の情報更新履歴ファイル、（ｂ）は情報ユーザーのパソコン４側の情報更新履歴ファイルの一例であり、両情報更新履歴ファイルデータが図示するように一致している場合を示す。
【００３８】
図示するそれぞれデータテーブルには、サーバー名（又はデータ配信元名）と更新ファイル名とシリアル番号が付記されている。
【００３９】
例えば、更新履歴ファイルのうち、サーバー名Ａに属する更新情報ファイル名００１の更新ファイルには、シリアル番号００１と００２があり、これは２回に亘って更新されていることを示し、直近の更新情報ファイルはシリアル番号が００２のファイルであることがわかる。
【００４０】
また、例えは、サーバー名Ａに属する更新情報ファイル名００４の更新ファイルには、シリアル番号００１〜００３があり、これは３回に亘って更新されていることを示し、直近の更新情報ファイルはシリアル番号が００３のファイルであることがわかる。
【００４１】
図５（ｃ）は、データ配信元（又はサーバー２）側の情報更新履歴ファイル、（ｄ）は情報ユーザーのパソコン４側の情報更新履歴ファイルの一例であり、両情報更新履歴ファイルデータが図示するように異なる場合を示し、（ｃ）に示すデータ配信元（又はサーバー２）側の情報更新履歴ファイルに存在するサーバー名Ａに属する更新情報ファイル名００２、シリアル番号００２の更新ファイルが（ｄ）に示す情報ユーザーのパソコン４側の情報更新履歴ファイルには存在していないことを示すものである。
【００４２】
【発明の効果】
本発明の電子カタログ更新システムは、データ配信元が提供するカタログ掲載用の情報を、サーバー側からインターネットを介して又はデータ配信元が提供する電子記録媒体を介して、情報ユーザーのパソコン側に取り込み、そのパソコンにて電子カタログ閲覧更新プログラムソフトを用いて電子カタログを更新作製する電子カタログ更新システムであり、紙媒体を中心とするカタログと異なり、カタログ上での商品の検索が容易であって、電子記録媒体に更新収録される電子カタログはデジタルデータであるため、情報の再利用が可能である。
【００４３】
また、データ配信（配布）元が情報の修正、追加をしたい場合には、別媒体で「データの追加」という形でユーザーに再配布する必要がなく、追加情報が、たとえ少量であっても、作業手順が煩雑でなく、労力が軽減でき、特に複数の商品情報を得たい場合などにおける大容量のデータへのアクセスやダウンロードがきわめて容易になり、低コストでカタログ掲載データの更新が可能となる。
【００４４】
また、本発明システムは、例えば再生専用形の追記不可な電子記録媒体を用いた電子カタログの更新において威力を発揮し、コストの面でもユーザー（電子カタログ制作者）を特定できる点でも手頃であり、また高速にアクセスできる点でも使い易く有利であり、カタログの掲載情報として更新すべき最新情報としての更新情報を、インターネットで配信することにより、あるいは電子記録媒体に記録して配布することにより、多数のユーザーが常にその更新すべき最新情報を取り出すことができる効果がある。
【図面の簡単な説明】
【図１】（ａ）は本発明の電子カタログ更新システムの実施の形態を説明するシステム全体を示すブロック図、（ｂ）はそのシステムの部分を示すブロック図。
【図２】本発明の電子カタログ更新システムの実施の形態を説明するシステム操作フローチャート図。
【図３】本発明の電子カタログ更新システムの実施の形態を説明するシステム全体を示すブロック図。
【図４】本発明の電子カタログ更新システムの実施の形態を説明するシステム操作フローチャート図。
【図５】本発明の電子カタログ更新システムにおける情報更新履歴ファイルの一例を示すデータテーブルの平面図。
【符号の説明】
１…データ配信元  ２…サーバー  ４…ユーザー側のパソコン  ７…入力部
８…データ処理制御部  ９…メモリ  １０…比較照合手段
１１…ディスクドライブ  １２…出力表示部
１３…電子カタログ用閲覧更新ソフト
【図１】
0004698785.tif 000002
【図２】
0004698785.tif 000003
【図３】
0004698785.tif 000004
【図４】
0004698785.tif 000005
【図５】
0004698785.tif 000006